(57)【要約】  【課題】  道路や橋梁などに立設される、照明柱、標識柱、信号柱などの立設部材に用いられる制振装置及び制振性に優れた立設部材に関し、高周波から低周波まで広範囲に周波数が変動する振動にも高い減衰性能を有する制振装置及び制振性に優れた立設部材を提供する。  【解決手段】  内部に吊り下げ部材１１が吊り下げられている垂直中空体１０からなる制振装置１であって、吊り下げ部材１１の軸心と垂直中空体１０の軸心が一致するとともに、吊り下げ部材１１の下端部がバネ２２を介して水平方向に移動可能な状態で垂直中空体１０に取り付けられていることを特徴とする制振装置及び制振性に優れた立設部材。  制振性に優れた立設部材には、立設部材それ自体に制振性を付与する場合と、制振装置を立設部材の外部又は内部に取り付けることによって制振性を付与する場合の両方がある。  【選択図】図１
2006226038.tif 000002
【特許請求の範囲】
【請求項１】
内部に吊り下げ部材が吊り下げられている垂直中空体からなる制振装置であって、吊り下げ部材の軸心と垂直中空体の軸心が一致するとともに、吊り下げ部材の下端部がバネを介して水平方向に移動可能な状態で垂直中空体に取り付けられていることを特徴とする制振装置。
【請求項２】
吊り下げ部材が、金属体を複数個つなぎ合わせたもの、金属製のチェーン及びワイヤーのうちの少なくとも１種からなることを特徴とする、請求項１に記載の制振装置。
【請求項３】
垂直中空体が金属製の管であることを特徴とする、請求項１又は２に記載の制振装置。
【請求項４】
請求項１から３までのいずれかに記載の制振装置が外部又は内部に取り付けられていることを特徴とする制振性に優れた垂直立設部材。
【請求項５】
請求項１から３までのいずれかに記載の制振装置が外部に取り付けられていることを特徴とする制振性に優れた傾斜立設部材。
【請求項６】
垂直に立設された管状の垂直立設部材であって、その内部に垂直立設部材の軸心と一致する軸心を有する吊り下げ部材が吊り下げられており、かつ、吊り下げ部材の下端部がバネを介して水平方向に移動可能な状態で垂直立設部材に取り付けられていることを特徴とする制振性に優れた垂直立設部材。
【請求項７】
吊り下げ部材が、金属体を複数個つなぎ合わせたもの、金属製のチェーン及びワイヤーのうちの少なくとも１種からなることを特徴とする、請求項６に記載の制振性に優れた垂直立設部材。
【請求項８】
垂直立設部材が金属製の管であることを特徴とする、請求項６又は７に記載の垂直立設部材。
【発明の詳細な説明】
【技術分野】
【０００１】
本発明は、制振装置及び制振性に優れた立設部材に関する。詳細には、道路や橋梁などに立設される、照明柱、標識柱、信号柱などの立設部材に用いられる制振装置及び制振性に優れた立設部材に関する。
【背景技術】
【０００２】
道路や橋梁などに立設された、照明柱、標識柱、信号柱などの立設部材は、風、地震や車両走行に伴う路面振動などに起因する共振現象によって、揺れが生じることがある。これらの立設部材に揺れが生じると、揺れによって立設部材の損傷が起きやすく、また、その損傷が促進される。また、発生する振動により、立設部材に取り付けられた器具の寿命が短くなる問題があり、さらに、照明柱の場合には、照明光が揺れて人に違和感を与える問題もある。
【０００３】
このような共振現象に起因する立設部材の揺れを防止するために、
(a)立設部材の重量、形状及び剛性を変更して、その固有振動数を変更する方法、
(b)立設部材の内部に物理振り子及び当接具を設けて、振動時に物理振り子を当接具に衝突させることによって制振効果を持たせる方法、
が、それぞれ、すでに提案されている。
【０００４】
しかしながら、上記(a)の方法では、特定の振動数に対しては制振効果があるものの、風による揺れのように、励振周期や振動数が様々に変動する揺れには対応できないだけでなく、立設部材の材料設計の自由度を減じることになる。また、上記(b)の方法では、励振周期や振動数が様々に変動する揺れには対応できないことに加えて、制振効果を上げるためには、物理振り子及び当接具を一定以上の大きさにする必要がある。そのために収納スペースが必要となるが、これも、立設部材の装置設計の自由度を減じる結果となる。
【０００５】
特許文献１には、このような従来技術の問題点を踏まえて、振動数の変動に対応した制振装置が記載されている。
【０００６】
すなわち、垂直中空体の内部に、非固定の自由振動部を持たせて鋼製チェーンまたはワイヤーを吊り下げ、かつこの鋼製チェーンまたはワイヤーと垂直中空体の内壁との間隔を等価に維持してなる制振装置であり、この制振装置を垂直立設部材の外部又は内部に取り付けることによって、垂直立設部材に加えられた揺れによる振動を減衰させるものである。
【０００７】
図５に、特許文献１に記載の制振装置の一例を示す。(a)は制振装置の軸心を通る一つの縦断面図であり、(b)は(a)に対して９０°回転した方向の縦断面図である。
【０００８】
制振装置１は、円形鋼管からなる垂直中空体１０と、その内部に吊り下げられた鋼製チェーン１１の吊り下げ部材からなる。この鋼製チェーン１１の上端は、垂直中空体１０の上部に設置された上端板１２に固定して取り付けられた固定フック１５によって支持されている。したがって、鋼製チェーンは上端を除いて非固定の自由振動部を形成している。
【０００９】
ここで、鋼製チェーンは円形鋼管の中心部において垂直に吊り下げられているため、振動のない状態では、鋼製チェーン１１の外面と垂直中空体１０の内面との間隔ｄは、円形鋼管の内部において等価に維持されている。
【００１０】
この制振装置１に、風、地震や車両走行に伴う路面振動などに起因する共振現象によって生じた揺れが伝わり、励振が起こる。そのとき、垂直中空体１０と鋼製チェーン１１はともに振動するが、鋼製チェーン１１の自由振動部は垂直中空体１０とは異なった態様で振動するため、鋼製チェーン１１の自由振動部が垂直中空体１０の内壁面に衝突する。その結果、垂直中空体１０の振動エネルギーが散逸するので、垂直中空体１０の振動が急速に減衰し、振動が制止される。
【００１１】
このように、垂直中空体１０の内部に鋼製チェーン１１を吊り下げることで、垂直中空体に加わった振動を減衰し、制止することができる制振装置を形成することができる。
【００１２】
そして、立設部材が中空の垂直部材である場合には、この制振装置１をその垂直立設部材の外部又は内部に取り付けることによって、垂直立設部材に加えられた揺れによる振動を、制振装置を構成する垂直中空体に伝播させ、そして、その垂直中空体においてその振動を減衰させて、制止することができるのである。
【００１３】
他方、立設部材が中空体ではない場合や中空体であっても傾斜している場合には、上記の制振装置を、立設部材の外部に取り付けることによって、立設部材に制振性を付与することができる。
【００１４】
なお、立設部材自体が垂直中空体であるとき、すなわち、図５に示される垂直中空体１０が、それ自体立設部材を構成するときは、立設部材となる垂直中空体の内部に直接鋼製チェーンを吊り下げることによって、立設部材そのものに制振性を付与することもできる。
【００１５】
【特許文献１】特公平０４−２６００４号公報
【発明の開示】
【発明が解決しようとする課題】
【００１６】
照明柱、標識柱、信号柱などの立設部材に、上記の特許文献１に記載の制振装置を組み込んでも、風、地震や車両走行に伴う路面振動などに起因する共振現象によって立設部材に揺れが生じることがあった。そして、これらの立設部材に揺れが生じると、発生する振動により、立設部材に取り付けられた器具の寿命が短くなり、さらに、照明柱の場合には、照明光が揺れて人に違和感を与える。
【００１７】
その原因は、風、地震や車両走行に伴う路面振動などに起因する振動の場合は、振動数範囲が広いために、垂直中空体の内部に単に鋼製チェーンを吊り下げるだけの制振装置では、全振動数範囲の振動に対応できないためであることが分かった。特に、２〜３Ｈｚの低周波の振動に対する制振効果が不充分であることが判明した。
【００１８】
本発明の目的は、高周波から低周波まで広範囲に周波数が変動する振動にも高い減衰性能を有し、かつ振動の方向にも左右されない制振装置及び制振性に優れた立設部材を提供することにある。
【課題を解決するための手段】
【００１９】
本発明者らは、種々検討の結果、高周波振動では吊り下げ部材が頻繁に垂直中空体に衝突することから、振動エネルギーを減衰させることができるが、低周波振動では、垂直中空管の振動周期と、吊り下げ部材における振動がその吊り下げ部材の支持点から先端まで伝播される時間とがともに大きくて、吊り下げ部材の振動モードと垂直中空体の振動モードとの間に有意差が生じないため、吊り下げ部材と垂直中空体の衝突頻度が少なくなり、吊り下げ部材が垂直中空部材の内壁に衝突することによる振動エネルギーの減衰がされにくいためであるとの知見を得た。
【００２０】
すなわち、揺れによって発生した振動がまず垂直中空体に伝わり、そしてその垂直中空体の振動が吊り下げ部材の支持部を通して吊り下げ部材全体を振動させることによって、吊り下げ材の下端まで伝達される。そのときの振動伝達に要するタイムラグが、垂直中空体の振動モードと吊り下げ材の振動モードの差となる。そして、高周波振動の領域では垂直中空体の振動周期が短く、頻繁に振動するため、垂直中空体と吊り下げ部材の動きが別個になり、その結果、垂直中空体の振動モードと吊り下げ材の振動モードに位相差が生じて、吊り下げ部材と垂直中空体の衝突頻度が多いので、吊り下げ部材が垂直中空部材の内壁に衝突することによる振動エネルギーの減衰がなされる。これに対して、低周波振動の領域では、垂直中空体の振動周期が長く、その分、吊り下げ部材の動きも緩慢になるため、垂直中空体と吊り下げ部材の動きが同調し、その結果、垂直中空体の振動モードと吊り下げ材の振動モードに有意差が小さくなり、吊り下げ部材と垂直中空体の衝突頻度が少なくなる。したがって、吊り下げ部材が垂直中空部材の内壁に衝突することによる振動エネルギーの減衰がされにくくなる。
【００２１】
したがって、低周波振動の領域においても垂直中空体の振動モードと吊り下げ材の振動モードに位相差を与えることができれば、高周波振動の領域だけでなく、低周波振動の領域においても制振性を高めることができることに思い至った。そして、位相差を与える方法として、吊り下げ部材の下端部を完全な自由振動部位とするのではなく、吊り下げ部材の下端部をバネを介して水平方向に移動可能な状態で垂直中空体に取り付けることによって、揺れが発生したときに吊り下げ部材の下端部に水平方向の動きを付勢し、もって一部の吊り下げ部材の振動モードを変更することができることを着想したものである。
【００２２】
このように、吊り下げ部材の下端部をバネを介して水平方向に移動可能な状態で垂直中空体に取り付けることによって、揺れによって発生した振動が、吊り下げ部材の上端の支持部を介しての伝達とは別個に、吊り下げ部材の下端部のバネを介しての伝達によってもなされるので、吊り下げ部材の下端部は吊り下げ部材の自由振動部位とは別個に動くことになる。その結果、低周波振動の領域においても、垂直中空体の振動モードと吊り下げ材の下端部の振動モードに有意差が生じて、吊り下げ部材と垂直中空体の衝突頻度が多くなる。
【００２３】
したがって、高周波振動だけでなく、低周波振動においても、吊り下げ部材と垂直中空体の衝突頻度が多くなるので、高周波から低周波まで広範囲に周波数が変動する振動にも高い減衰性能を有する制振装置を提供できる。
【００２４】
また、内部に吊り下げる吊り下げ部材の軸心と垂直中空体の軸心を一致させることによって、振動の方向にも左右されない制振装置を提供できる。
【００２５】
本発明にかかる制振装置および制振性に優れた立設部材は、これらの知見と着想に基づいて完成されたものである。なお、制振性に優れた立設部材には、制振装置を立設部材の外部又は内部に取り付けることによって制振性を付与する場合と、立設部材それ自体を制振装置の一部に用いる場合の両方がある。
【００２６】
本発明の要旨は、次の(1)〜(3)の制振装置及び(4)〜(8)の制振性に優れた立設部材である。以下、これらを総称して本発明装置又は本発明部材ということもある。
【００２７】
(1)内部に吊り下げ部材が吊り下げられている垂直中空体からなる制振装置であって、吊り下げ部材の軸心と垂直中空体の軸心が一致するとともに、吊り下げ部材の下端部がバネを介して水平方向に移動可能な状態で垂直中空体に取り付けられていることを特徴とする制振装置。
【００２８】
(2)吊り下げ部材が、金属体を複数個つなぎ合わせたもの、金属製のチェーン及びワイヤーのうちの少なくとも１種からなることを特徴とする、上記(1)の制振装置。
【００２９】
(3)垂直中空体が金属製の管であることを特徴とする、上記(1)又は(2)の制振装置。
【００３０】
(4)上記(1)〜(3)のいずれかの制振装置が外部又は内部に取り付けられていることを特徴とする制振性に優れた垂直立設部材。
【００３１】
(5)上記(1)〜(3)のいずれかの制振装置が外部に取り付けられていることを特徴とする制振性に優れた傾斜立設部材。
【００３２】
(6)垂直に立設された管状の垂直立設部材であって、その内部に垂直立設部材の軸心と一致する軸心を有する吊り下げ部材が吊り下げられており、かつ、吊り下げ部材の下端部がバネを介して水平方向に移動可能な状態で垂直立設部材に取り付けられていることを特徴とする制振性に優れた垂直立設部材。
【００３３】
(7)吊り下げ部材が、金属体を複数個つなぎ合わせたもの、金属製のチェーン及びワイヤーのうちの少なくとも１種からなることを特徴とする、上記(6)の制振性に優れた垂直立設部材。
【００３４】
(8)垂直立設部材が金属製の管であることを特徴とする、上記(6)又は(7)の垂直立設部材。
【発明の効果】
【００３５】
本発明により、高周波から低周波まで広範囲に周波数が変動する振動にも有効に対応する制振装置及び制振性に優れた立設部材を得ることができる。
【００３６】
また、内部に吊り下げ部材が吊り下げられている垂直中空体からなる制振装置及び制振性に優れた立設部材は、吊り上げ部材の軸心と垂直中空体の軸心が一致しているので、振動の方向にも左右されない制振装置が得られる。
【００３７】
さらに、垂直に立設された管状の垂直立設部材は、その内部に垂直立設部材の軸心と一致する軸心を有する吊り下げ部材が吊り下げられているので、振動の方向にも左右されない制振性が得られる。
【発明を実施するための最良の形態】
【００３８】
以下に、図面に基づいて、本発明を説明する。
【００３９】
図１に、本発明に係る制振装置の一例を示す。(a)は制振装置の軸心を通る一つの縦断面図であり、(b)は(a)に対して９０°回転した方向の縦断面図である。
【００４０】
制振装置１は、円形鋼管からなる垂直中空体１０と、その内部に吊り下げられた鋼製チェーン１１の吊り下げ部材からなる。この鋼製チェーン１１の上端は、垂直中空体１０の上部に設置された上端板１２に固定して取り付けられた固定フック１５によって支持されている。そして、鋼製チェーンの下端部は水平方向に設置された板バネ２２を介して水平方向に移動可能な状態で垂直中空体に取り付けられている。
【００４１】
したがって、鋼製チェーンは上端と下端を除いて非固定の自由振動部を形成している。そして、鋼製チェーンは円形鋼管の中心部において垂直に吊り下げられているため、振動のない状態では、鋼製チェーン１１の外面と垂直中空体１０の内面との間隔ｄは、鋼製チェーンの上端部から下端部まで円形鋼管の内部において等価に維持されている。
【００４２】
このように、吊り下げ部材の下端部は完全な自由振動部位ではないため、揺れが発生したときに吊り下げ部材の下端部に水平方向の動きを付勢することができるので、吊り下げ部材の下端部は吊り下げ部材の自由振動部位とは別個に動くことになる。その結果、低周波振動の領域においても垂直中空体の振動モードと吊り下げ材の振動モードに位相差を与えることができ、吊り下げ部材と垂直中空体への衝突頻度を多くすることができる。したがって、高周波振動の領域だけでなく、低周波振動の領域においても制振性を高めることができる。
【００４３】
この例の制振装置を構成する垂直中空体は、外径７６．３ｍｍ、肉厚４．２ｍｍ、内径６７．９ｍｍ、長さ１．６ｍ、重量１１．９５ｋｇの断面円形の鋼管である。また、チェーンは、チェーン肉厚径１６ｍｍ、１リンクの寸法として長さ８０ｍｍ×幅５６ｍｍの鋼製リンクの２９個からなる、長さ１４２．４ｃｍ、全重量７８４６ｇの鋼製チェーンを用いた。
【００４４】
なお、吊り下げ部材が垂直中空体１０の軸心に吊り下げられているときのチェーン外面と垂直中空１０の内面との間隔ｄは、５．９５ｍｍであった。
【００４５】
図２に、本発明に係る制振装置の他の一例を示す。(a)は制振装置の軸心を通る一つの縦断面図であり、(b)は(a)に対して９０°回転した方向の縦断面図である。
【００４６】
制振装置１は、鋼製チェーンの下端部を板バネ２２を介して水平方向に移動可能な状態で垂直中空体１０に取り付ける取付構造を除いて、図１に示したものと同じである。
【００４７】
図１との相違は、板バネ２２が垂直中空体１０の底部に設置された下端板２１に垂直方向に取り付けられている点であり、鋼製チェーンの下端部は板バネ２２を介して水平方向に移動可能な状態となっている。
【００４８】
したがって、鋼製チェーンは、図１に示すのと同様に、上端と下端を除いて非固定の自由振動部を形成している。そして、鋼製チェーンは円形鋼管の中心部において垂直に吊り下げられているため、振動のない状態では、鋼製チェーン１１の外面と垂直中空体１０の内面との間隔ｄは、鋼製チェーンの上端部から下端部まで円形鋼管の内部において等価に維持されている。
【００４９】
このように、吊り下げ部材の下端部は完全な自由振動部位ではないため、揺れが発生したときに吊り下げ部材の下端部に水平方向の動きを付勢することができるので、吊り下げ部材の下端部は吊り下げ部材の自由振動部位とは別個に動く。
【００５０】
図３に、本発明に係る制振装置の他の一例を示す。(a)は制振装置の軸心を通る一つの縦断面図であり、(b)は(a)に対して９０°回転した方向の縦断面図である。
【００５１】
制振装置１は、円形鋼管からなる垂直中空体１０と、その内部に吊り下げられた鋼製チェーン１１の吊り下げ部材からなる。この鋼製チェーン１１の上端部は、垂直中空体１０の上部に設置された上端板１２に固定して取り付けられた固定フック１５によって支持されている。そして、垂直中空体１０の底部には下端板２１が設置されており、その下端板２１の上部中央に可動円板２５が水平に載置され、そして、この鋼製チェーン１１の下端部はこの可動円板２５の上部中央に連結されている。可動円板２５の周囲には、可動円板２５の外面と垂直中空体１０の内面との間にコイルバネ２３が４個所設置されるとともに、４個所のコイルバネ２３と可動円板２５の外周の上面を覆うようにドーナツ状の押え板２６が設置されていて、コイルバネ２３と可動円板２５が下端板２１から外れることを防止している。
【００５２】
このようにして、鋼製チェーンの下端部はコイルバネ２３を介して水平方向に移動可能な状態となっており、鋼製チェーンは、図１及び図２に示すのと同様に、上端と下端を除いて非固定の自由振動部を形成している。そして、鋼製チェーンは円形鋼管の中心部において垂直に吊り下げられているため、振動のない状態では、鋼製チェーン１１の外面と垂直中空体１０の内面との間隔ｄは、鋼製チェーンの上端部から下端部まで円形鋼管の内部において等価に維持されている。
【００５３】
したがって、吊り下げ部材の下端部は完全な自由振動部位ではないため、揺れが発生したときに吊り下げ部材の下端部に水平方向の動きを付勢することができるので、吊り下げ部材の下端部は吊り下げ部材の自由振動部位とは別個に動く。
【００５４】
なお、垂直中空体の形状は、上記の形状に限定するものではなく、例えば、外径３４．０〜１１４．３ｍｍ、内径２７．６〜１０７．３ｍｍ、肉厚２．３〜４．５ｍｍ、長さ１．０〜２．４ｍ、重量１．８〜２．９ｋｇのものを用いることができる。
【００５５】
そして、垂直中空体の材料としては、鋼管のほか、ステンレス鋼管、アルミニウム管などの金属管や樹脂管を用いてもよい。強度及び耐久性の観点からは鋼管が好ましい。防錆性の観点からはステンレス鋼管を用いるか、又は、鋼管に溶融亜鉛めっきや塗装等の防錆処理を施して用いるのが好ましい。
【００５６】
また、垂直中空体の断面形状は、特に限定するものではなく、円形のほか、八角形や六角形などの多角形でもよい。すべての方向の揺れに対しても制振効果が必要な場合には、円形の断面を採用するのが好ましい。
【００５７】
吊り下げ部材は、上記の鋼製チェーンの形状に限定するものではなく、チェーン径６〜２５ｍｍ、１リンクの寸法として長さ３０〜１２５ｍｍ×幅２１〜８８ｍｍ、全長８０〜２２０ｃｍ、全重量６００〜３１０００ｇの鋼製チェーンを用いることができる。なお、鋼製チェーンのほか、ステンレス鋼チェーンを用いても良い。強度及び耐久性の観点からは、鋼製チェーンが好ましい。防錆性の観点からはステンレス鋼チェーンを用いるか、又は、鋼製チェーンに溶融亜鉛めっき等の防錆処理を施して用いるのが好ましい。また、チェーンに限定するものではなく、金属体を複数個つなぎ合わせたものを用いることができる。例えば、直径２１〜９９ｍｍの金属球の５〜６１個を、長さ１５〜７４ｍｍ、外径２．６〜９ｍｍの鋼線材でつなぎ合わせることで形成することができる。金属体の材料としては、鋼のほか、ステンレス鋼やアルミニウムが用いられる。さらに、チェーンの替わりに、ワイヤーロープを用いてもよい。
【００５８】
金属製の垂直中空体と金属製の吊り下げ部材を用いると、相互の衝撃音が大きくなるが、この衝撃音を抑制したいときは垂直中空体及び／又は吊り下げ部材の表面をゴム等の弾性体でライニング又は被覆するのが好ましい。
【００５９】
吊り下げ部材の単位当たりの質量は、上記の数値に限定するものではなく、０．７〜２７ｇ／ｍｍ程度であればよい。
【００６０】
吊り下げ部材が垂直中空体１０の中心線に吊り下げられているときのチェーン外面と垂直中空１０の内面との間隔ｄは、上記の数値に限定するものではなく、３〜１５ｍｍ程度であればよい。
【００６１】
以上、制振装置自体の説明をしてきたが、立設部材が垂直中空体であるとき、すなわち、図１〜３に示される垂直中空体１０が、それ自体立設部材の一部を構成するときは、立設部材たる垂直中空体の内部に直接吊り下げ部材を吊り下げることによって、立設部材そのものに制振性を付与することができる。
【００６２】
これに対して、立設部材が中空体ではない場合や中空体であっても傾斜している場合には、上記の制振装置を、立設部材の外部又は内部に取り付けることによって、立設部材に制振性を付与することができる。もちろん、立設部材が垂直中空体の場合であっても、立設部材の外部又は内部に別途制振装置を取り付けることによって、立設部材に制振性を付与することができることは言うまでもない。
【００６３】
立設部材に大きな制振性を付与するためには、立設部材が最大変位振幅を示す部位に制振装置を取り付けるか、又は、立設部材が垂直中空体であるときは立設部材自体を制振装置の一部として構成することによって、制振性を付与するのが良い。また、各次振動モードに対処するためには、制振装置を立設部材の複数位置に取り付けることが好ましい。
【００６４】
本発明に係る制振装置を取り付ける適用対象は、振動によって揺れが生じる立設部材であり、照明柱、標識柱、信号柱のほか、吊り橋における吊り塔部材にも適用することができる。
【００６５】
図４は、本発明に係る制振装置１を立設部材の外部の２個所に取り付けたときの一例を示す。
【００６６】
この立設部材は、照明灯７を張出部材５の先端に取り付けてなる照明柱２であり、基礎３の上に断面円形の鋼管４が立設され、断面円形の鋼管４の最上部からほぼ水平に張出部材５が張り出しており、その張出部材を支える補強ステー６が設けられている。そして、上記の制振装置１が断面円形の鋼管４の外周の上部と中部の２個所にボルト（図示せず）によって取り付けられている。
【００６７】
風、地震や車両走行に伴う路面振動などに起因する共振現象によって、照明柱２の断面円形の鋼管に揺れが生じると、その揺れが照明柱に取り付けられた制振装置１に伝わり、励振が起こる。そのとき、垂直中空体と吊り下げ部材からなる制振装置１が作動するが、吊り下げ部材の支持部が水平方向に移動自在であると、低周波振動の際も高周波振動の際も、吊り下げ部材の外面が垂直中空体１０の内壁面に衝突して、振動エネルギーを十分に減衰させることができる。したがって、垂直中空体の振動エネルギーが散逸し、立設部材である照明柱２の振動が制止される。
【産業上の利用可能性】
【００６８】
本発明により、高周波から低周波まで広範囲に周波数が変動する振動にも有効に対応する制振装置及び制振性に優れた立設部材を得ることができる。
【００６９】
また、内部に吊り下げ部材が吊り下げられている垂直中空体からなる制振装置及び制振性に優れた立設部材は、吊り上げ部材の軸心と垂直中空体の軸心が一致しているので、振動の方向にも左右されない制振装置が得られる。
【００７０】
さらに、垂直に立設された管状の垂直立設部材は、その内部に垂直立設部材の軸心と一致する軸心を有する吊り下げ部材が吊り下げられているので、振動の方向にも左右されない制振性が得られる。
【図面の簡単な説明】
【００７１】
【図１】本発明に係る制振装置の一例を示す。(a)は制振装置の軸心を通る一つの縦断面図であり、(b)は(a)に対して９０°回転した方向の縦断面図である。
【図２】本発明に係る制振装置の他の一例を示す。(a)は制振装置の軸心を通る一つの縦断面図であり、(b)は(a)に対して９０°回転した方向の縦断面図である。
【図３】本発明に係る制振装置の他の一例を示す。(a)は制振装置の軸心を通る一つの縦断面図であり、(b)は(a)に対して９０°回転した方向の縦断面図である。
【図４】本発明に係る制振装置１を立設部材の外部の２個所に取り付けたときの一例を示す図である。
【図５】特許文献１に記載の従来の制振装置の一例を示す縦断面図である。
【符号の説明】
【００７２】
１  制振装置
２  照明柱
３  基礎
４  断面円形の鋼管
５  張出部材
６  補強ステー
７  照明灯
１０  垂直中空体
１１  鋼製チェーン
１２  上端板
１５  固定フック
２１  下端板
２２  板バネ
２３  コイルバネ
２５  可動円板
２６  押え板
ｄ    鋼製チェーンの外面と垂直中空体の内面との間隔
【図１】
2006226038.tif 000003
【図２】
2006226038.tif 000004
【図３】
2006226038.tif 000005
【図４】
2006226038.tif 000006
【図５】
2006226038.tif 000007